(57)【要約】【課題】操作機構の操作を停止させた待ち時間におけるエネルギー消費を抑制することができる電動式建設機械の提供。【解決手段】主油圧ポンプ２７２用の電動モータ２７１と、パイロット油圧ポンプ２７５用の電動モータ２７４と、これらの電動モータ２７１，２７４を制御するインバータ２３１ａ等に電力を供給する駆動用バッテリ２４１と、油圧シリンダ３４ａ〜３４ｃ等に係る操作機構２９１の操作が停止したことを電気的に感知する角度センサ２９３ａ等と、操作機構２９１の操作に応じてインバータ２３１ａ等に電動モータ２７１，２７４を駆動する制御信号を出力するとともに、操作機構２９１の操作の停止に相応する信号が角度センサ２９３ａ等から出力された際に、インバータ２３１ａ等に電動モータ２７１，２７４を停止させる制御信号を出力する操作制御部５１を有する構成にしてある。【選択図】図５
2008214970.tif 000002
【特許請求の範囲】
【請求項１】
主油圧ポンプと、この主油圧ポンプから吐出される圧油によって駆動する油圧アクチュエータと、上記主油圧ポンプから供給される圧油の流れを制御する油圧制御弁と、この油圧制御弁を切り換えるパイロット圧を供給するパイロット油圧ポンプと、上記主油圧ポンプを駆動する主電動機と、上記パイロット油圧ポンプを駆動する補助電動機と、上記主電動機及び上記補助電動機を制御する電動機制御手段と、この電動機制御手段に電力を供給する電力供給手段と、上記油圧アクチュエータを操作する操作機構とを備えた電動式建設機械において、
上記操作機構の操作が停止したことを電気的に感知する感知手段と、
上記操作機構の操作に基づく演算を行い、その演算結果に応じて上記電動機制御手段に上記主電動機及び上記補助電動機を駆動する制御信号を出力するとともに、上記操作機構の操作の停止に相応する信号が上記感知手段から出力された際に、上記電動機制御手段に、上記主電動機及び補助電動機を停止させる制御信号を出力する操作制御部とを備えたことを特徴とする電動式建設機械。
【請求項２】
上記請求項１記載の発明において、
上記操作機構が、上記油圧アクチュエータを操作する操作レバーを含み、
上記感知手段が、上記操作レバーの操作角度を検出する角度センサから成るとともに、
上記操作制御部が、上記操作レバーの不感帯を考慮した制御演算を行う演算部を含むことを特徴とする電動式建設機械。
【請求項３】
上記請求項１項記載の発明において、
上記操作機構が、上記油圧アクチュエータを操作する操作レバーを含み、
上記感知手段が、上記操作レバーに付設される感圧センサから成ることを特徴とする電動式建設機械。
【請求項４】
上記請求項２または３記載の発明において、
上記操作レバーが、油圧式操作レバーから成ることを特徴とする電動式建設機械。
【請求項５】
上記請求項２または３記載の発明において、
上記操作レバーが、電気レバーから成ることを特徴とする電動式建設機械。
【請求項６】
上記請求項１記載の発明において、
上記電力供給手段がバッテリから成ることを特徴とする電動式建設機械。
【発明の詳細な説明】
【技術分野】
【０００１】
本発明は、主油圧ポンプを駆動する主電動機を備えたバッテリ式油圧ショベル等の電動式建設機械に関する。
【背景技術】
【０００２】
建設機械は、土木工事、産業廃棄業等に用いられているが、排ガスや騒音振動低減等が問題とされている。その要因は駆動源にエンジンを備えていることにある。そこで、特許文献１や特許文献２に、エンジンに代えて電動機（モータ）を搭載し、この電動機によってアクチュエータを直接に、あるいは油圧系を介して間接的に駆動させ、これによって排ガスを全く排出させず、騒音振動も大幅に低減できる電動式建設機械が提案されている。
【０００３】
特許文献１には、電力供給手段が商用電源から成り、この商用電源をキャプタイヤケーブル等の配線を介して電動機へ直接供給するようにした有線電力式建設機械が開示され、特許文献２には、電力供給手段がバッテリから成り、このバッテリの電力を電動機へ供給するようにしたバッテリ式建設機械が開示されている。なお、有線電力式建設機械では、ケーブル長の制約上、移動範囲に制限が生じるのに対し、バッテリ式建設機械は、このような制約を受けず自由に移動できる点が有利とされている。
【特許文献１】実開昭５６−１５６３０１号公報
【特許文献２】特開２０００−２７３９１３公報
【発明の開示】
【発明が解決しようとする課題】
【０００４】
ところで建設機械は、作業現場により操作状況は異なるものの、一般に作業をせず待機している待ち時間がある。例えば建設機械が油圧ショベルである場合、掘削した土砂をダンプに積む作業が行われる場合、ダンプがタイミングよく来ないケースにあっては、待ち時間を持つことになる。このような待ち時間は、無駄時間となり、無駄なエネルギーを消費することになる。したがって、このような無駄なエネルギー消費を抑えることが要望されている。
【０００５】
従来のエンジン式建設機械では、上述のような待ち時間すなわち作業待機時には、例えばオートアイドル機構等によって、エンジン回転数を所定の低回転数まで落とす制御が実施され、これによってエネルギー消費を抑えるようになっている。一方、有線電力あるいはバッテリからの供給電力によって駆動する電動機を有する電動式建設機械にあっても、エネルギー消費の抑制に対する要望は、エンジン式建設機械におけるのと同様である。特に、バッテリを備えたものでは、バッテリの蓄電容量に限りがあることから、このエネルギー消費の抑制が強く望まれている。
【０００６】
本発明は、上述した従来技術における実状からなされたもので、その目的は、操作機構の操作を停止させた待ち時間におけるエネルギー消費を抑制することができる電動式建設機械を提供することにある。
【課題を解決するための手段】
【０００７】
この目的を達成するために、本発明は、主油圧ポンプと、この主油圧ポンプから吐出される圧油によって駆動する油圧アクチュエータと、上記主油圧ポンプから供給される圧油の流れを制御する油圧制御弁と、この油圧制御弁を切り換えるパイロット圧を供給するパイロット油圧ポンプと、上記主油圧ポンプを駆動する主電動機と、上記パイロット油圧ポンプを駆動する補助電動機と、上記主電動機及び上記補助電動機を制御する電動機制御手段と、この電動機制御手段に電力を供給する電力供給手段と、上記油圧アクチュエータを操作する操作機構とを備えた電動式建設機械において、上記操作機構の操作が停止したことを電気的に感知する感知手段と、上記操作機構の操作に基づく演算を行い、その演算結果に応じて上記電動機制御手段に上記主電動機及び上記補助電動機を駆動する制御信号を出力するとともに、上記操作機構の操作の停止に相応する信号が上記感知手段から出力された際に、上記電動機制御手段に、上記主電動機及び補助電動機を停止させる制御信号を出力する操作制御部とを備えたことを特徴としている。
【０００８】
このように構成した本発明は、操作機構が操作されると、この操作機構の操作に基づく演算が行われ、演算結果に相応する制御信号が電動機制御手段に出力される。これに応じて電力供給手段から電力を供給されている電動機制御手段によって主電動機及び補助電動機の駆動が制御される。主電動機の駆動によって主油圧ポンプが駆動し、補助電動機の駆動によってパイロット油圧ポンプが駆動する。また、上述した操作機構の操作に伴ってパイロット圧が油圧制御弁の制御部に与えられてこの油圧制御弁が切り換えられる。これにより、主油圧ポンプからの圧油が油圧制御弁を介して油圧アクチュエータに供給され、この油圧アクチュエータは操作機構の操作量に応じた速度で作動する。したがって、この油圧アクチュエータの作動を介して所望の作業を実施できる。
【０００９】
このように所望の作動を実施している状態から、待機状態とするために操作機構の動作を停止させると、すなわち中立復帰させると、その中立復帰に相応する信号が感知手段から操作制御部に出力される。これに応じて操作制御部は、電動機制御手段に主電動機及び補助電動機を停止させる制御信号を出力する。これによって主電動機及び補助電動機が直ちに停止する。これに伴って、主油圧ポンプ及びパイロット油圧ポンプが停止し、油圧制御弁は中立位置に切り換えられ、主油圧ポンプから油圧アクチュエータへの圧油の供給が停止し、油圧アクチュエータは作動を停止する。
【００１０】
このように本発明は、待機状態とするために操作機構の操作を停止したときには、感知手段及び操作制御部を介して直ちに主電動機及び補助電動機の駆動が停止し、この操作機構の動作を停止させた待ち時間におけるエネルギー消費を抑制することができる。
【００１１】
また本発明は、上記発明において、上記操作機構が、上記油圧アクチュエータを操作する操作レバーを含み、上記感知手段が、上記操作レバーの操作角度を検出する角度センサから成るとともに、上記操作制御部が、上記操作レバーの不感帯を考慮した制御演算を行う演算部を含むことを特徴としている。
【００１２】
また本発明は、上記発明において、上記操作機構が、上記油圧アクチュエータを操作する操作レバーを含み、上記感知手段が、上記操作レバーに付設される感圧センサから成ることを特徴としている。
【００１３】
また本発明、上記発明において、上記操作レバーが、油圧式操作レバーから成ることを特徴としている。
【００１４】
また本発明は、上記発明において、上記操作レバーが、電気レバーから成ることを特徴としている。
【００１５】
また本発明は、上記発明において、上記電力供給手段がバッテリから成ることを特徴としている。
【発明の効果】
【００１６】
本発明は、待機状態とするために操作機構の操作を停止したときには、感知手段及び操作制御部を介して、主油圧ポンプ及びパイロット油圧ポンプの駆動源である主電動機及び補助電動機を直ちに停止させることができ、この操作機構の操作を停止させた待ち時間におけるエネルギー消費を抑制でき、従来から要望されている経済性の優れた電動式建設機械を得ることができる。
【発明を実施するための最良の形態】
【００１７】
以下，本発明に係る電動式建設機械を実施するための最良の形態を図に基づいて説明する。
【００１８】
以下の述べる本発明の第１〜第３実施形態に係る電動式建設機械は、例えば掘削等の作業を行うフロント作業機、すなわちリンク機構を油圧システムで作動させ、旋回、走行を電動機、すなわち電動モータで直動で作動させるバッテリ式油圧ショベルである。また、電動モータは、３相交流とし、電動モータを制御する電動機制御手段として、バッテリからの直流を交流に変換するインバータを備えているものである。
【００１９】
図１は本発明に係る電動式建設機械の第１実施形態として挙げた油圧ショベルを示す側面図、図２は第１実施形態に備えられる旋回体を示す平面図、図３は第１実施形態の正面図、図４は第１実施形態に備えられる操作レバーを示す図、図５は第１実施形態に備えられる駆動回路を示す回路図である。
【００２０】
電動式建設機械の第１実施形態であるバッテリ式油圧ショベル１は、図１に示すように、旋回体２と、この旋回体２に上下方向の回動可能に取り付けられるフロント作業機、すなわちリンク機構３と、旋回体２の下部に設けられる走行体４とを備えている。
【００２１】
リンク機構３は、旋回体２に回動可能に取り付けられるブーム３１と、このブーム３１の先端に回動可能に取り付けられるアーム３２と、このアーム３２の先端に回動可能に取り付けられるバケット３３と、これらのブーム３１、アーム３２、バケット３３を駆動する油圧アクチュエータ、すなわち油圧シリンダ３４ａ〜３４ｃとを含んでいる。
【００２２】
走行体４は、図３に示すように、トラックフレーム４１と、旋回体２を旋回させる旋回輪ベアリング４２と、走行機構４３Ｌ，４３Ｒと、無限軌道履帯４４Ｌ，４４Ｒとを含んでいる。
【００２３】
旋回体２は、図２に示すように、メインフレーム２０の上に、スリップリング２１、コンダクタ制御盤２２、インバータ収納部２３、バッテリ収納部２４、作動油タンク２５、複数の油圧制御弁２６１を含む油圧制御弁部２６、油圧ポンプ収納部２７、旋回機構２８、運転室２９等を備えている。
【００２４】
スリップリング２１は、後述の駆動用バッテリ２４１の電力を旋回体２の回動に妨げられることなく、走行機構４３Ｌ，４３Ｒに伝達する機構である。コンダクタ制御盤２２には、車体の起動・停止に合わせて電力供給手段例えば駆動用バッテリ２４１から、電動機制御手段例えばインバータ２３１ａ〜２３１ｅへの電力の供給・遮断をスイッチングするコンダクタが付設されている。インバータ収納部２３には、複数のインバータ２３１ａ〜２３１ｅが収納されるとともに、これらのインバータ２３１ａ〜２３１ｅを覆うカバー２３２を備えている。インバータ２３１ａは主油圧ポンプ駆動用、インバータ２３１ｂは旋回用、インバータ２３１ｃ，２３１ｄは走行用、インバータ２３１ｅはパイロット油圧ポンプ駆動用にそれぞれ割り当てられている。バッテリ収納部２４には、電力供給手段を構成する複数の高電圧の駆動用バッテリ２４１と、複数の低電圧の制御系電力用バッテリ２４２が収納されるとともに、これらのバッテリ２４１，２４２を覆うカバー２４３を備えている。
【００２５】
作動油タンク２５は、リンク機構３の油圧シリンダ３４ａ〜３４ｃを駆動する圧油が貯蔵されるタンクである。油圧制御弁部２６には、油圧シリンダ３４ａ〜３４ｃへ供給される圧油の流量を分配する油圧制御弁２６１と、主油圧ポンプ２７２を制御するパイロット弁２６２が含まれている。油圧ポンプ収納部２７には、主油圧ポンプ２７２と、この主油圧ポンプ２７２を駆動する主電動機、すなわち主油圧ポンプ用電動モータ２７１とが収納され、これらの主油圧ポンプ２７２と電動モータ２７１とは、カップリング２７３で連結されている。主油圧ポンプ２７２から吐出された圧油は、油圧制御弁２６１に送油され、流量分配される。また、この油圧ポンプ収納部２７には、油圧制御弁２６１の弁駆動制御部やパイロット弁２６２に圧油を送油するパイロット油圧ポンプ２７５と、このパイロット油圧ポンプ２７５を駆動する補助電動機、すなわちパイロット油圧ポンプ用電動モータ２７４とが収納され、これらのパイロット油圧ポンプ２７５と電動モータ２７４とは、カップリング２７６で連結されている。この油圧ポンプ収納部２７は全体がカバーによって構成されている。
【００２６】
運転室２９内には、操作者がシートに着座した状態で、リンク機構３、旋回機構２８、走行機構４３Ｌ，４３Ｒを駆動できるように、操作機構２９１と、車体コントローラ５と、主油圧ポンプ用電動モータ２７１の回転数設定器２９５等が備えられている。車体コントローラ５は、操作機構２９１からの信号を入力し、インバータ２３１ａ〜２３１ｅを制御する。この車体コントローラ５には、制御用バッテリ２４２からの電力が供給される。
【００２７】
操作機構２９１は、図４に示すように、例えば油圧式操作レバーから成り、手で前後左右に倒す操作が可能な操作レバー２９１ａ，２９１ｂと、操作レバーとその根元に配置されたフットペダルとが組み合わされた走行レバー２９１ｃ，２９１ｄとを含んでいる。操作レバー２９１ａの前後倒し操作により旋回体２の左右旋回動作、左右倒し操作によりアーム３２のダンプ、クラウドの動作、操作レバー２９１ｂの前後倒し操作によりブーム３１の上げ下げ動作、左右倒し操作によりバケット３３のダンプ、クラウドの動作、走行レバー２９１ｃ，２９１ｄを一緒に前後倒し操作することにより走行の前進、後退動作、また、片方前後倒し操作か、片側前倒し、他方後倒し操作により曲がり動作が、それぞれ行えるようになっている。
【００２８】
次に図５によりこの第１実施形態に備えられる駆動回路について説明する。なお、説明を簡単にするために、操作機構２９１のうち、旋回体２の操作、及びアーム３２の操作を行なう操作レバー２９１ａを例示して説明する。
【００２９】
操作レバー２９１ａには、この操作レバー２９１ａを前後左右に倒すことにより圧油を減圧する機構を有する操作減圧弁２９２が付設されている。操作減圧弁２９２の上流側には、パイロット油圧ポンプ２７５が配置されている。このパイロット油圧ポンプ２７５は、作動油タンク２５の圧油をサクション配管６５８で吸い込み、パイロット配管６５１を介して吐出する。パイロット配管６５１の途中でパイロット配管６５２が分岐し、このパイロット配管６５２にパイロットリリーフ弁２６３が設けられている。圧油はパイロットリリーフ弁２６３を通過してパイロット配管６５７を介して作動油タンク２５へ戻される。パイロットリリーフ弁２６３は、パイロット圧の最大圧を設定する弁で、通常は４ＭＰａ程度の圧に設定される。
【００３０】
操作減圧弁２９２の下流側は、パイロット配管６５３，６５４を介して油圧制御弁２６１のパイロット系供給ポート２６１ａ，２６１ｂへ接続され、また、パイロット配管６５５，６５６を介して圧力センサ２９４ａ，２９４ｂに接続されている。
【００３１】
操作レバー２９１ａには、この操作レバー２９１ａの操作量を検出する角度センサ２９３ａ，２９３ｓｗが付設されている。角度センサ２９３ａはアーム操作時の操作レバー角度を検出し、角度センサ２９３ｓｗは旋回操作時の操作レバー角度を検出する。また、これらの角度センサ２９３ａ，２９３ｓｗは、操作機構２９１の操作が停止したことを電気的に感知する感知手段を構成している。
【００３２】
車体コントローラ５には、角度センサ２９３ａ，２９３ｓｗの検出信号が制御配線７５１を介して入力され、圧力センサ２９４ａ，２９４ｂの検出信号が制御配線７５２，７５３を介して入力され、主油圧ポンプ用電動モータ２７１の回転数設定器２９５からの信号が入力されるようになっている。
【００３３】
この車体コントローラ５の出力側は、制御配線７５４を介して主油圧ポンプ用電動モータ２７１に電力を供給するインバータ２３１ａに接続され、制御配線７５５を介して旋回用電動モータ２８１に電力を供給するインバータ２３１ｂに接続され、制御配線７５６を介してパイロット油圧ポンプ用電動モータ２７４に電力を供給するインバータ２３１ｅに接続されている。
【００３４】
各動力系のうちの油圧系は、主油圧ポンプ２７２が作動油タンク２５の油を、サクション配管６０３を介して吸い込み、吸い込んだ圧油が主油圧配管６０１を介して油圧制御弁２６１に供給され、さらに主油圧配管６０２を介してリンク機構３の油圧シリンダ３４ａ〜３４ｃに供給される。また電気系は、駆動用バッテリ２４１の電力が、動力配線７０１を介してインバータ２３１ａへ供給され、動力配線７０２を介してインバータ２３１ｂへ供給され、動力配線７０３を介してインバータ２３１ｅへ供給され、さらにインバータ２３１ａから主油圧ポンプ用電動モータ２７１へは動力配線７０４を介して、インバータ２３１ｂから旋回用電動モータ２８１へは動力配線７０５を介して、インバータ２３１ｅからパイロット油圧ポンプ用電動モータ２７４へは動力配線７０６を介して供給される。
【００３５】
主油圧ポンプ用電動モータ２７１は、運転室２９内の回転数設定器２９５からの回転数指令を受け、リンク機構３を駆動する速度制御を行い、パイロット油圧ポンプ用電動モータ２７４も回転数指令を受けて同様の速度制御を行う。一方、旋回、走行は、レバー操作量を速度またはトルク指令として与えるため、旋回用電動モータ２８１、走行用電動モータ４３１Ｌ，４３１Ｒに対しては、操作レバー２９１ａ、走行レバー２９１ｃ，２９１ｄの操作量に応じた速度またはトルク制御が行われる。なお、旋回の操作レバー２９１ａの操作量、走行レバー２９１ｃ，２９１ｄの操作量は、圧力センサ２９４ａ，２９４ｂ等で検出された圧力信号として車体コントローラ５に入力され、車体コントローラ５は、この圧力信号を処理して、各インバータ２３１ｂ，２３１ｃ，２３１ｄに制御信号を出力する。
【００３６】
図６は図５に示す駆動回路に備えられる車体コントローラの構成を示すブロック図、図７は図６に示す車体コントローラに備えられる演算部の構成を示す図、図８は図４に示す操作レバーの出力特性を示す図、図９は図６に示す車体コントローラに備えられる演算部の構成を示す図、図１０は図６に示す車体コントローラに備えられる演算部の構成を示す図である。
【００３７】
車体コントローラ５は、操作機構２９１の操作に基づく演算を行い、その演算結果に応じてインバータ２３１ａ，２３１ｅに主油圧ポンプ用電動モータ２７１、及びパイロット油圧ポンプ用電動モータ２７４を駆動する制御信号を出力するとともに、操作機構２９１の操作の停止に相応する信号が角度センサ２９３ａ等から出力された際に、主油圧ポンプ用電動モータ２７１、及びパイロット油圧ポンプ用電動モータ２７４を停止させる制御信号を出力する操作制御部５１を備えている。
【００３８】
この操作制御部５１は、図６に示すように、演算部５２〜５４を有している。演算部５２は、操作不感帯に関する制御演算を行い、演算部５３はパイロット油圧ポンプ用電動モータ２７４の回転数制御演算を行い、演算部５４は主油圧ポンプ用電動モータ２７１の回転数制御演算を行う。
【００３９】
上述した演算部５２には、図７に示すように、操作レバー２９１ａに付設した角度センサ２９３ａ，２９３ｓｗ、及び操作レバー２９１ｂ、及び走行レバー２９１ｃ，２９１ｄからの各信号が入力される。ただし同図７には、操作レバー２９１ａの角度センサ２９３ａ，２９３ｓｗからの信号Ｓαａ，Ｓαｓｗのみ記載してある。
【００４０】
信号Ｓαａ，Ｓαｓｗのそれぞれは、不感帯演算部５２１，５２２に入力される。不感帯演算部５２１，５２２は、信号Ｓαａ，Ｓαｓｗのそれぞれに対し、０または１の値の信号Ｓａ，Ｓｓｗを出力する。アーム操作を例に挙げると、図８に示すように、操作レバー２９１ａの角度αａに対し、実線で示す操作圧Ｐｉが不感帯（−β〜β）をもっており、この不感帯（−β〜β）の角度範囲が、アーム３２の停止域、不感帯外がアーム３２の駆動域となる。同図８の縦軸Ｐｉに極性があるのは、前後、左右の操作を判別しているためである。なお、横軸αａは破線で示すように信号Ｓαａと一対一の関係にある。図７の例えば停止域（−βａ〜βａ）は、図８の不感帯（−β〜β）に対応するように設定されている。図７の不感帯演算部５２１，５２２のおける演算値は、信号Ｓａ，Ｓｓｗとして演算部５３，５４に入力される。
【００４１】
図９に示すように、演算部５２からの信号Ｓａ，Ｓｓｗが演算部５３に入力されると、加算部５３１で総和Ssum_piが求められる。この総和Ssum_piは判定部５３２に入力され、
判定式（１）
Ssum_pi＝０      →  Ｓｐｉ＝０
Ssum_pi≧１      →  Ｓｐｉ＝１
の演算が行われる。なお、Ｓｐｉは判定部５３２の出力である。
【００４２】
ここで、パイロット油圧ポンプ用電動モータ２７４の回転数は通常一定である。回転数指令は、車体コントローラ５内に備えられる外部入力形式の回転数設定器５５で与えられ、この回転数設定器５５によって回転数指令Sc_piが演算部５３に入力される。この回転数指令Sc_piと出力ＳＰｉとを乗算部５３３で乗算した値Ｓ１を、車体コントローラ５の出力としてパイロット油圧ポンプ用電動モータ２７４のインバータ２３１ｅへ出力する。
【００４３】
演算部５４には、図１０に示すように、演算部５２の出力及びリンク機構３に含まれる図示しないブーム、バケットの動作に係る信号値の他に、主油圧ポンプ用電動モータ２７１の回転数設定器２９５より、主油圧ポンプ用電動モータ２７１の回転数目標値Sc_mpが入力される。上述した信号値Ｓａ及びリンク機構３に含まれるブーム、バケットに係る信号値に基づいて加算部５４１で総和Ssum_mpが求められる。この総和Ssum_mpは判定部５４２に入力され、
判定式（２）
Ssum_mp ＝０      →  Ｓｍｐ＝０
Ssum_mp ≧１      →  Ｓｍｐ＝１
の演算が行われる。なお、Ｓｍｐは判定部５４２からの出力値である。
【００４４】
出力値Ｓｍｐと、主油圧ポンプ用電動モータ２７１の回転数設定器２９５で設定された回転数目標値Sc_mpが乗算部５４３で乗算され、その積Ｓ２が、車体コントローラ５から主油圧ポンプ用電動モータ２７１に係るインバータ２３１ａに出力される。
【００４５】
このように構成した第１実施形態における動作を以下に例を挙げて説明する。
【００４６】
［アーム単独操作］
操作レバー２９１ａを操作してアーム３２を単独で駆動している場合には、図７に示すように、角度センサ２９３ａの出力信号Ｓαａと、他の操作レバー、走行レバーの角度センサからの出力信号Ｓαｓｗ等は、車体コントローラ５の操作制御部５１に含まれる不感帯を形成する演算部５２に入力される。今はアーム単独駆動であることから、Ｓａ＝１、Ｓｓｗ等の他の値＝０として、この演算部５２から演算部５３，５４に出力される。
【００４７】
演算部５３では、図９に示すように、加算部５３１で信号値Ｓａと、旋回（信号値＝Ｓｓｗ）、走行、その他のリング機構３に含まれるブーム、バケットに係る信号値との総和Ssum_piが求められ、その総和Ssum_piが判定部５３２に出力される。今は、アーム単独操作であるため、Ssum_pi＝１として判定部５３２に出力される。判定部５３２からは、演算によりＳｐｉ＝０、またはＳｐｉ＝１が出力される。これは、例えば全ての操作レバーの操作が停止とみなされる状態にあるかどうかの判定である。今は、Ssum_pi＝１であるため、上述の判定式（１）により、Ｓｐｉ＝１と判定される。このＳｐｉ＝１と、パイロット油圧ポンプ用電動モータ２７４の回転数設定器５５からの回転数指令Sc_piとの積が乗算部５３３で求められる。その結果、車体コントローラ５からの出力値はＳ１＝Sc_piとなり、この値Ｓ１がパイロット油圧ポンプ用電動モータ２７４に係るインバータ２３１ｅへ指令として与えられ、パイロット油圧ポンプ用電動モータ２７４は、与えられた回転数指令通りに駆動する。これに応じてパイロット油圧ポンプ２７５が駆動する。
【００４８】
また、演算部５４では、図１０に示すように、加算部５４１で信号値Ｓａと、その他のリンク機構３に含まれるブーム、アームに係る信号値の総和Ssum_mpが求められる。今はアーム単独駆動であるのでSsum_mp＝１が判定部５４２に出力される。判定部５４２からは、演算によりＳｍｐ＝０、またはＳｍｐ＝１が出力される。これは、リンク機構３に関係する操作レバーの全てが停止とみなされる状態にあるかどうかの判定である。今は、Ssum_mp＝１であるため、判定式（２）により、Ｓｍｐ＝１と判定される。このＳｍｐ＝１と、主油圧ポンプ用電動モータ２７１の回転数設定器２９５からの回転数指令Sc_mpとの積が乗算部５４３で求められる。その結果、車体コントローラ５からの出力値Ｓ２＝Sc_mpとなり、この値Ｓ２が主油圧ポンプ用電動モータ２７１に係るインバータ２３１ａへ指令として与えられ、主油圧ポンプ用電動モータ２７１は、与えられた回転数指令通りに駆動する。これに応じて主油圧ポンプ２７２が駆動する。
【００４９】
そして、上述のように操作レバー２９１ａを操作してアーム３２を単独駆動させている状態から、操作レバー２９１ａを中立方向に戻してアーム３２の駆動を停止させるようにしたとき、角度センサ２９３ａの出力信号Ｓαａと、他の操作レバー、走行レバーの角度センサ出力Ｓαｓｗ等は、車体コントローラ５の操作制御部５１に含まれる不感帯を形成する演算部５２に入力され、今はアーム３２の駆動から停止に移行してることから、Ｓａ＝０、Ｓｓｗ等の値＝０が演算部５３，５４に出力される。
【００５０】
演算部５３では、加算部５３１で出力信号Ｓａと、旋回（信号値Ｓｓｗ）、走行、その他のリンク機構３に含まれるブーム、バケットに係る他の信号値との総和Ssum_piが求められ、その総和Ssum_pi＝０が判定部５３２に出力される。判定部５３２では、判定式（１）からＳｐｉ＝０と求められる。このＳｐｉ＝０と、パイロット油圧ポンプ用電動モータ２７４の回転数設定器５５からの回転数指令Sc_piとの積が乗算部５３３で求められる。その結果、Ｓ１＝０と求められ、このＳ１が車体コントローラ５からパイロット油圧ポンプ用電動モータ２７４に係るインバータ２３１ｅへ指令として与えられ、パイロット油圧ポンプ用電動モータ２７４は停止する。これに伴ってパイロット油圧ポンプ２７５は駆動を停止する。
【００５１】
また演算部５４では、加算部５４１で出力信号Ｓａと、他のリンク機構３に含まれるブーム、バケットに係る他の信号値との総和Ssum_mpが求められ、その総和Ssum_mp＝０が判定部５４２に出力される。判定部５４２では、判定式（２）からＳｍｐ＝０と求められる。このＳｍｐ＝０と、主油圧ポンプ用電動モータ２７１の回転数設定器２９５からの回転数指令Sc_mpとの積が乗算部５４３で求められる。その結果、Ｓ２＝０と求められ、このＳ２が車体コントローラ５から主油圧ポンプ用電動モータ２７１に係るインバータ２３１ａへ指令として与えられ、主油圧ポンプ用電動モータ２７１は停止する。これに伴って主油圧ポンプ２７２は駆動を停止する。
【００５２】
［アーム・旋回複合操作］
操作レバー２９１ａの操作により、アーム・旋回複合操作が実施されている場合、角度センサ２９３ａの出力信号Ｓαａと角度センサＳαｓｗ、及び他の操作レバー、走行レバーの角度センサからの出力信号は、車体コントローラ５の操作制御部５１の不感帯を形成する演算部５２に入力され、今、アーム・旋回複合操作で駆動されていることから、Ｓａ＝１、Ｓｓｗ＝１、他の信号値＝０が演算部５３，５４に出力される。
【００５３】
演算部５３では、加算部５３１でＳａとＳｓｗ、及び走行、他のリンク機構３に含まれるブーム、バケットに係る信号値の総和Ssum_piが求められる。今はアーム・旋回複合操作であるため、Ssum_pi＝２となり、このSsum_piが判定部５３２に出力される。判定部５３２では、Ssum_pi＝２であることから、上述した判定式（１）によって、Ｓｐｉ＝１と判定される。このＳｐｉと、パイロット油圧ポンプ用電動モータ２７４の回転数設定器５５からの回転数指令Sc_piとが乗算部５３３で乗算される。その結果Ｓ１＝Sc_piとなり、このＳ１がパイロット油圧ポンプ用電動モータ２７４に係るインバータ２３１ｅへ指令値として与えられ、パイロット油圧ポンプ用電動モータ２７４は与えられた回転数指令通りに駆動する。これに応じて、パイロット油圧ポンプ２７５が駆動する。
【００５４】
また、演算部５４では、加算部５４１でＳａと、その他のリンク機構３に含まれるブーム、バケットに係る信号値との総和がSsum_mpが求められ、判定部５４２に出力される。旋回、走行を含む複合操作が実施されている場合には、旋回、走行は主油圧ポンプ２７２の圧油で駆動されず、旋回用電動機モータ２８１、または走行用電動モータ４３１Ｌ，４３１Ｒにより直接に駆動され、主油圧ポンプ２７２とは独立した状態に保たれる。今は、旋回を含む複合であるので、Ssum_mpでは旋回はカウントされず、Ssum_mp＝１となる。
【００５５】
判定部５４２では、Ssum_mp＝１であることから判定式（２）により、Ｓｍｐ＝１と判定される。このＳｍｐ＝１と、主油圧ポンプ用電動モータ２７１の回転数設定器２９５からの回転数指令Sc_mpとの積が乗算部５４３で求められ、その結果のＳ２＝Sc_mpが、車体コントローラ５から主油圧ポンプ用電動モータ２７１に係るインバータ２３１ａへ指令として与えられ、主油圧ポンプ用電動モータ２７１は与えられた回転数指令通りに駆動する。これに伴って主油圧ポンプ２７２が駆動する。
【００５６】
操作レバー２９１ａが操作されてアーム・旋回の複合操作が実施されている状態から、この操作レバー２９１ａが中立に戻されて操作の停止に移行したとき、角度センサ２９３ａの出力信号Ｓαａと、角度センサ２９３ｓｗの出力信号Ｓαｓｗ、及び他の操作レバー、走行レバーの角度センサからの出力信号は、車体コントローラ５の操作制御部５１の演算部５２に入力される。今はアーム・旋回の複合操作から停止へ移行していることから、Ｓａ＝０、Ｓｓｗ＝０、他の値＝０となり、これらが演算部５３，５４に出力される。
【００５７】
演算部５３では、加算部５３１でＳａとＳｓｗ、及び走行、その他のリンク機構３に含まれるブーム、バケットに係る信号値の総和Ssum_piが求められ、この総和Ssum_pi＝０となり、これが判定部５３２に出力される。判定部５３２では、Ssum_pi＝０に応じて判定式（１）より、Ｓｐｉ＝０と判定される。このＳｐｉ＝０と、パイロット油圧ポンプ用電動モータ２７４の回転数設定器５５からの回転数指令Sc_piとの積が乗算部５３３で求められ、その結果Ｓ１＝０となり、このＳ１がパイロット油圧ポンプ用電動モータ２７４に係るインバータ２３１ｅへの指令として与えられ、パイロット油圧ポンプ用電動モータ２７４は停止する。これに伴ってパイロット油圧ポンプ２７５は停止する。
【００５８】
また、演算部５４では、加算部５４１でＳａと、その他のリンク機構３に含まれるアーム、バケットに係る信号値との総和Ssum_mpが求められ、この総和Ssum_mpが判定部５４２に出力される。判定部５４２では、アームの停止によりSsum_mp＝０となっていることから、判定式（２）により、Ｓｍｐ＝０と判定される。このＳｍｐ＝０と、主油圧ポンプ用電動モータ２７１の回転数設定器２９５からの回転数指令Sc_mpとの積が乗算部５４３で求められ、その結果Ｓ２＝０が車体コントローラ５から主油圧ポンプ用電動モータ２７１に係るインバータ２３１ａへ指令として与えられ、主油圧ポンプ用電動モータ２７１は停止する。これに伴って主油圧ポンプ２７２は停止する。
【００５９】
［ブーム・アーム複合操作］
操作レバー２９１ａの操作でアーム３２を操作し、操作レバー２９１ｂの操作でブーム３１を操作するブーム・アーム複合操作が実施されている場合、角度センサ２９３ａの出力信号Ｓαａと、操作レバー２９１ｂに付設される図示しない角度センサの出力信号Ｓαｂ、及び他の操作レバー、走行レバーの角度センサからの出力信号は、車体コントローラ５の操作制御部５１の不感帯制御部を形成する演算部５２に入力され、今、駆動していることからＳａ＝１、Ｓｂ＝１（操作レバー２９１ｂに対応）、他の値＝０となり、これらが演算部５３，５４に出力される。
【００６０】
演算部５３では、加算部５３１でＳａとＳｂ、及び旋回（信号値Ｓｓｗ）、走行、その他リンク機構３に含まれるバケット３３に係る信号値の総和Ssum_piが求められ、今は、ブーム・アーム複合操作のためSsum_pi＝２となって、このSsum_piが判定部５３２に出力される。判定部５３２では、Ssum_pi＝２に応じて判定式（１）によりＳｐｉ＝１と求められる。このＳｐｉ＝１と、パイロット油圧ポンプ用電動モータ２７４の回転数設定器５５からの回転数指令Sc_piとの積が乗算部５３３で求められ、その結果Ｓ１＝Sc_piが車体コントローラ５からパイロット油圧ポンプ用電動モータ２７４に係るインバータ２３１ｅへ指令として与えられ、パイロット油圧ポンプ用電動モータ２７４は与えられた回転数指令通りに駆動する。これに伴ってパイロット油圧ポンプ２７５が駆動する。
【００６１】
また、演算部５４では、加算部５４１でＳａとＳｂ、及び他のリンク機構３に含まれるバケット３３に係る信号値の総和Ssum_mpが求められ、この総和Ssum_mpが判定部５４２に出力される。判定部５４２では、Ssum_mp＝２に応じて判定式（２）によりＳｍｐ＝１と判定される。このＳｍｐ＝１と、主油圧ポンプ用電動モータ２７１の回転数設定器２９５からの回転数指令Sc_mpとの積が乗算部５４３で求められ、Ｓ２＝Ssum_mpが車体コントローラ５から主油圧ポンプ用電動モータ２７１に係るインバータ２３１ａへ指令として与えられ、主油圧ポンプ用電動モータ２７１は指令通りに駆動する。これに伴って主油圧ポンプ２７２が駆動する。
【００６２】
このようなブーム・アーム複合操作が実施されている状態から、全操作停止に移行した場合、角度センサ２９３ａの出力信号Ｓαａと、操作レバー２９１ｂに付設された図示しない角度センサの出力信号Ｓαｂ、及び他の操作レバー、走行レバーの角度センサからの出力信号が車体コントローラ５の操作制御部５１に含まれる不感帯制御部を形成する演算部５２に入力され、駆動状態から停止へ移行していることから、Ｓａ＝０、Ｓｂ＝０、他の値＝０となり、これらが演算部５３，５４に出力される。
【００６３】
演算部５３では、加算部５３１でＳａとＳｂ、及び旋回、走行、他のリンク機構３に含まれるバケット３３に係る信号値の総和Ssum_piが求められ、この総和Ssum_pi＝０が判定部５３２に出力される。判定部５３２では、Ssum_pi＝０に応じて判定式（１）により、Ｓｐｉ＝０と判定される。このＳｐｉ＝０と、パイロット油圧ポンプ用電動モータ２７４の回転数設定部５５からの回転数指令Sc_piとの積が乗算部５３３で求められ、その結果Ｓ１＝０が車体コントローラ５からパイロット油圧ポンプ用電動モータ２７４に係るインバータ２３１ｅへ指令として与えられ、パイロット油圧ポンプ用電動モータ２７４は停止する。これに伴ってパイロット油圧ポンプ２７５が停止する。
【００６４】
また演算部５４では、加算部５４１でＳａとＳｂ、及びリンク機構３に含まれるバケット３３からの信号値の総和Ssum_mpが求められ、この総和Ssum_mpが判定部５４２に出力される。判定部５４２では、アーム３２、ブーム３１の停止によりSsum_mp＝０に応じて判定式（２）によりＳｍｐ＝０と判定される。このＳｍｐ＝０と、主油圧ポンプ用電動モータ２７１の回転数設定器２９５からの回転数指令Sc_mpとの積が乗算部５４３で求められ、その結果Ｓ２＝０が車体コントローラ５から主油圧ポンプ用電動モータ２７１に係るインバータ２３１ａへ指令として与えられ。主油圧ポンプ用電動モータ２７１は停止する。これに伴って主油圧ポンプ２７２が停止する。
【００６５】
なお、上述した演算処理において、操作制御部５１は、角度センサ２９３ａ，２９３ｓｗ等の感知手段からの信号が不感帯に相応するときに、最初に主電動機である主油圧ポンプ用電動モータ２７１を停止させ、その後に例えば数秒程度の時間遅れを持たせて、補助電動機であるパイロット油圧ポンプ用電動モータ２７４を停止させる制御を行う。
【００６６】
このように構成した第１実施形態によれば、上述のように操作機構２９１が操作されると、この操作機構２９１の操作に基づく演算が行われ、演算結果に相応する制御信号が電動機制御手段、すなわちインバータ２３１ａ，２３１ｅに出力される。これに応じて電力供給手段、すなわち駆動用バッテリ２４１から電力を供給されているインバータ２３１ａ，２３１ｅによって主電動機を構成する主油圧ポンプ用電動モータ２７１、及び補助電動機を構成するパイロット油圧ポンプ用電動モータ２７４の駆動が制御される。主油圧ポンプ用電動モータ２７１の駆動によって主油圧ポンプ２７２が駆動し、パイロット油圧ポンプ用電動モータ２７４の駆動によってパイロット油圧ポンプ２７５が駆動する。また、上述した操作機構２９１の操作に伴ってパイロット圧が油圧制御弁部２６に含まれる油圧制御弁２６１の制御部に与えられてこの油圧制御弁２６１が切り換えられる。これにより、主油圧ポンプ２７２からの圧油が油圧制御弁２６１を介して油圧アクチュエータ、すなわち油圧シリンダ３４ａ，３４ｂ等に供給され、これらの油圧シリンダ３４ａ，３４ｂ等は操作機構２９１の操作量に応じた速度で作動する。したがって、これらの油圧シリンダ３４ａ，３４ｂ等の作動を介して所望の作業を実施できる。
【００６７】
このように所望の作動を実施している状態から、待機状態とするために操作機構２９１の動作を停止すると、すなわち中立復帰させると、その中立復帰に相応する信号が、角度センサ２９３ａ等の感知手段から車体コントローラ５の操作制御部５１に出力される。これに応じて操作制御部５１は、インバータ２３１ａ，２３１ｅに主油圧ポンプ用電動モータ２７１、及びパイロット油圧ポンプ用電動モータ２７４を停止させる制御信号を出力する。これによって主油圧ポンプ用電動モータ２７１、及びパイロット油圧ポンプ用電動モータ２７４が直ちに停止する。これに伴って、主油圧ポンプ２７２及びパイロット油圧ポンプ２７５が停止し、油圧制御弁部２６に含まれる該当する油圧制御弁２６１は中立位置に切り換えられ、主油圧ポンプ２７２から該当する油圧シリンダ３４ａ，３４ｂ等への圧油の供給が停止し、該当する油圧シリンダ３４ａ，３４ｂは作動を停止する。
【００６８】
このように第１実施形態によれば、待機状態とするために操作機構２９１の操作を停止したときには、角度センサ２９３ａ等の感知手段、及び車体コントローラ５の操作制御部５１を介して直ちに主油圧ポンプ用電動モータ２７１、及びパイロット油圧ポンプ用電動モータ２７４が停止し、この操作機構２９１の動作を停止させた待ち時間におけるエネルギー消費を抑制することができる。これにより経済性の優れた電動式建設機械を得ることができる。
【００６９】
図１１は本発明の第２実施形態の要部を構成する駆動回路を示す回路図、図１２は図１１に示す駆動回路に備えられる車体コントローラの構成を示すブロック図、図１３は図１２に示す車体コントローラに備えられる演算部の構成を示す図、図１４は図１２に示す車体コントローラに備えられる演算部の構成を示す図である。
【００７０】
この第２実施形態は、操作機構２９１の操作が停止したことを電気的に感知する感知手段として、感圧センサ８０１を操作レバー２９１ａ等のグリップ部分に付設したものである。感圧センサ８０１は、一部に圧力が加わると、内部抵抗値が低下し導電性が上がるものであり、絶縁ゴム材に導電性粒子が均等分散された状態で成形されている。例えば膜状に形成されている。無加圧状態では、導電性粒子が接触していないため、高い絶縁性を示すが、加圧すると導電性粒子が接触し、抵抗が低下し導通する。操作レバー２９１ａ等のグリップに貼れば、操作者がグリップを握ることにより電気が導通し、放せば導通せず、操作機構２９１の操作が停止したことが感知される。この第２実施形態では、感圧センサ８０１から、例えば所定時間以上にわたって導通に相応する信号が出力されるときに、操作制御部５１における演算処理が実行されるようになっている。また逆に、所定時間以上にわたって非導通に相応する信号が出力されるときに、操作制御部５１で操作機構２９１の操作が停止と判定されるようになっている。
【００７１】
図１１には、操作レバー２９１ａに感圧センサ８０１を貼付した例を示してあるが、実際には、図示しない操作レバー２９１ｂ、走行レバー２９１ｃ，２９１ｄにも貼付されている。感圧センサ８０１は、例えば車体コントローラ５から供給される定電圧源８５と、車体コントローラ５との間のスイッチとして活用される。定電圧源８５と感圧センサ８０１の間は制御配線７５８で接続され、感圧センサ８０１と車体コントローラ５の間は制御配線７５９で接続されている。
【００７２】
操作者が感圧センサ８０１を握れば、抵抗が下がるため導通し、定電圧源８５の電圧である制御信号Ｓｐｓが制御配線７５９を介し車体コントローラ５へ送られる。操作者が感圧センサ８０１を放せば、車体コントローラ５への電圧はほぼ０となる。
【００７３】
図１２に示すように、車体コントローラ５は操作制御部５１を有し、この操作制御部５１には演算部５６，５７が設けられている。演算部５６はパイロット油圧ポンプ用電動モータ２７４の回転数制御を行い、演算部５７は主油圧ポンプ用電動モータ２７１の回転数制御を行う。
【００７４】
演算部５６には、操作レバー２９１ａに付設した感圧センサ８０１、及び操作レバー２９１ｂ、走行レバー２９１ｃ，２９１ｄのそれぞれに付設した感圧センサからの信号が入力される。ただし、説明を簡単にするために、図１２では操作レバー２９１ａの感圧センサ８０１からの信号Sps_opLのみを示してある。上述したように、感圧センサ８０１等から所定時間以上の信号Sps_opL等が出力されたときに、以下の処理が実行される。
【００７５】
感圧センサ８０１から出力される信号Sps_opL等に基づいて、図１３に示す加算部５６１で総和Ssum_pi_psが求められ、この総和Ssum_pi_psが判定部５６２に出力される。判定部５６２では、
判定式（３）
Ssum_pi_ps＝０      →  Spi_ps＝０
Ssum_pi_ps≧１      →  Spi_ps＝１
に基づく演算が行われる。なお、Spi_psは判定部５６２の出力である。
【００７６】
判定部５６２から出力されるSpi_psと、パイロット油圧ポンプ用電動モータ２７４の回転数設定部５５よりの回転数指令Sc_piとが乗算部５６３で乗算され、その結果である値Ｓ３が車体コントローラ５からパイロット油圧ポンプ用電動モータ２７４に係るインバータ２３１ｅへ出力される。
【００７７】
演算部５７には、図１４に示すように、感圧センサ８０１からの信号Sps_opL、及びリンク機構３に含まれるブーム３１，バケット３３に係る信号値の他に、主油圧ポンプ用電動モータ２７１に係る回転数設定器２９５の回転数指令Sc_mpが入力される。
【００７８】
信号Sps_opL等に基づいて加算部５７１で総和Ssum_mp_psが求められ、この総和Ssum_mp_psは判定部５７２に入力され、
判定式（４）
Ssum_mp_ps＝０      →  Smp_ps＝０
Ssum_mp_ps≧１      →  Smp_ps＝１
の演算が行われる。なお、Smp_psは判定部５７２の出力である。
【００７９】
判定部５７２から出力されるSmp_psと、主油圧ポンプ用電動モータ２７１の回転数設定部２９５よりの回転数指令Sc_mpとが乗算部５７３で乗算され、その結果である値Ｓ４が車体コントローラ５から主油圧ポンプ用電動モータ２７１に係るインバータ２３１ａへ出力される。上述した動作は、第１実施形態におけるのと同様であり、判定式（３）及び判定式（４）を用いて判定が行われ、操作機構２９１の駆動、停止が判定される。第１実施形態におけるのと異なるのは、操作者が操作レバー、走行レバーを握っているか、いないかを感圧センサ８０１等で判定することであり、操作者が操作レバー、走行レバーを握っていれば、主油圧ポンプ用電動モータ２７１、及びパイロット油圧用電動モータ２７４は駆動し、握っていなければ、主油圧ポンプ用電動モータ２７１、及びパイロット油圧用電動モータ２７４は停止する。
【００８０】
このように構成した第２実施形態も上述した第１実施形態におけるのと同様の効果が得られる。なお、第２実施形態における感圧センサ８０１等に代えて、感知手段としてボタンスイッチを操作レバー等に設け、操作者がボタンスイッチを押してオンとした状態で操作レバー等を操作したとき、主油圧ポンプ用電動モータ２７１、及びパイロット油圧用電動モータ２７４は駆動し、操作レバー等を中立に戻してボタンスイッチをオフとすると、主油圧ポンプ用電動モータ２７１、及びパイロット油圧用電動モータ２７４は停止するように構成することもできる。
【００８１】
図１５は本発明の第３実施形態の要部を構成する駆動回路を示す回路図、図１６は図１５に示す駆動回路に備えられる信号変換器の構成を示す図である。
【００８２】
この第３実施形態は、特に電気レバーから成る操作レバー８１１を有する電気レバー装置８１を備えたものである。電気レバー装置８１は、レバー操作量を信号Ｓｓｔに変換し、信号Ｓｓｔを電気レバーコントローラ８２に出力する。電気レバーコントローラ８２では、信号Ｓｓｔを電流値Ｓａｍｐに変換し、電磁操作弁８３に出力する。電磁操作弁８３は、ソレノイド式減圧弁から成り、電流値Ｓａｍｐによりソレノイドが力を発生し、これにより内部の図示しないスプールが移動し、電流値Ｓａｍｐに応じた操作圧Ｐｉが得られる。電磁操作弁８３はレバー操作一方向に対して１個必要であるが、説明を簡単にするために図１５では単に１個のみを示してある。
【００８３】
電磁操作弁８３の上流には、パイロット油圧ポンプ２７５が配置され、下流には油圧制御弁２６１が配置されている。この油圧制御弁２６１のポート２６１ａ、または他のポートへパイロット油圧ポンプ２７５からのパイロット圧が供給されることにより、油圧制御弁２６１は切り換えられる。
【００８４】
電気レバー装置８１は、同図１５に示すように、電気レバーから成る操作レバー８１１の下部に、球面ジョイント部８１２で回転動作する円形状弁板８１３が付設されている。弁板８１３からは４つのロッド８１５ａ，８１５ｂ，８１５ｃ，８１５ｄが設けられ、さらにその下部に、操作レバー８１１の操作が停止したことを電気的に感知する感知手段、すなわち４つのストロークセンサ８１４ａ，８１４ｂ，８１４ｃ，８１４ｄが設けられている。これらのストロークセンサ８１４ａ，８１４ｂ，８１４ｃ，８１４ｄからは、電気信号Sst_a，Sst_b，Sst_c，Sst_dがそれぞれ出力される。電気信号Sst_a，Sst_b，Sst_c，Sst_dに基づいて電気レバーコントローラ８２でレバー角度が求められ、それぞれ例えば信号Sst_f，Sst_swとして出力される。信号Sst_fはリンク機構３に応じた信号、信号Sst_swは旋回に応じた信号を示している。なお、同図１５では示していないが、走行に応じた信号はSst_trとして出力される。
【００８５】
電気レバーコントローラ８２は、図１６に示すように、信号変換器８２１，８２２及び電流アンプ８２３を有する構成になっている。信号変換器８２１は信号Sst_aを信号Sst_fに変換し、信号変換器８２２は信号Sst_cを信号Sst_swに変換して出力する。また、電流アンプ８２３により、信号Sst_fは、電流値Ｓａｍｐに変換される。
【００８６】
ここで、旋回の信号Sst_swは、そのまま旋回用電動モータ２８１に係るインバータ２３１ｂへ直接出力される。電気レバー装置８１の場合、旋回（走行）には、パイロット油圧ポンプ２７５のパイロット圧を信号として使用しないためである。
【００８７】
信号Sst_fと、電磁操作弁８３の操作圧Ｐｉの関係は、上述した第１実施形態の説明に用いた図８におけるＳαａとＰｉとの関係と同様であり、信号Sst_f，Sst_sw，Sst_tr、すなわちレバー角度と操作圧Ｐｉには、上述したように停止域と駆動域が存在する。
【００８８】
リンク機構３への信号Sst_fは、それぞれ車体コントローラ５にも出力される。車体コントローラ５の構成は前述した図６，７，９，１０に示すものと同様である。信号Sst_fは第１実施形態におけるのと同様の演算により、電気レバーから成る操作レバー８１１が停止域にあればパイロット油圧ポンプ用電動モータ２７４、主油圧ポンプ用電動モータ２７１は停止し、一方、駆動域にあればこれらのパイロット油圧ポンプ用電動モータ２７４、主油圧ポンプ用電動モータ２７１は駆動する。このように電気レバーから成る操作レバー８１１を備えた構成にしても、上述した第１実施形態と同等の効果が得られる。
【００８９】
なお、上述した第１〜第３実施形態では、パイロット油圧ポンプ２７５と、主油圧ポンプ２７２が、それぞれ異なる電動モータ２７４，２７１で駆動される構成となっているが、パイロット油圧ポンプ２７５と主油圧ポンプ２７２とを同じ電動モータで駆動する構成にしてもよい。この場合には、例えば第１実施形態における演算部５３のみで判定して、その電動モータを駆動制御すればよい。
【図面の簡単な説明】
【００９０】
【図１】本発明に係る電動式建設機械の第１実施形態として挙げた油圧ショベルを示す側面図である。
【図２】第１実施形態に備えられる旋回体を示す平面図である。
【図３】第１実施形態の正面図である。
【図４】第１実施形態に備えられる操作レバーを示す図である。
【図５】第１実施形態に備えられる駆動回路を示す回路図である。
【図６】図５に示す駆動回路に備えられる車体コントローラの構成を示すブロック図である。
【図７】図６に示す車体コントローラに備えられる演算部の構成を示す図である。
【図８】図４に示す操作レバーの出力特性を示す図である。
【図９】図６に示す車体コントローラに備えられる演算部の構成を示す図である。
【図１０】図６に示す車体コントローラに備えられる演算部の構成を示す図である。
【図１１】本発明の第２実施形態の要部を構成する駆動回路を示す回路図である。
【図１２】図１１に示す駆動回路に備えられる車体コントローラの構成を示すブロック図である。
【図１３】図１２に示す車体コントローラに備えられる演算部の構成を示す図である。
【図１４】図１２に示す車体コントローラに備えられる演算部の構成を示す図である。
【図１５】本発明の第３実施形態の要部を構成する駆動回路を示す回路図である。
【図１６】図１５に示す駆動回路に備えられる信号変換器の構成を示す図である。
【符号の説明】
【００９１】
１  バッテリ式油圧ショベル（電動式建設機械）
２  旋回体
２３１ａ  インバータ（電動機制御手段）
２３１ｅ  インバータ（電動機制御手段）
２４１  駆動用バッテリ（電力供給手段）
２７１  主油圧ポンプ用電動モータ（主電動機）
２７２  主油圧ポンプ
２７４  パイロット油圧ポンプ用電動モータ（補助電動機）
２７５  パイロット油圧ポンプ
２９１  操作機構
２９１ａ  操作レバー
２９１ｂ  操作レバー
２９３ａ  角度センサ（感知手段）
２９５  回転数設定器
３  リンク機構
３１  ブーム
３２  アーム
３３  バケット
３４ａ  油圧シリンダ（油圧アクチュエータ）
３４ｂ  油圧シリンダ（油圧アクチュエータ）
３４ｃ  油圧シリンダ（油圧アクチュエータ）
４  走行体
５  車体コントローラ
５１  操作制御部
５２  演算部
５３  演算部
５４  演算部
５６  演算部
５７  演算部
５２１ａ  不感帯演算部
５２１ｓｗ  不感帯演算部
５３１  加算部
５３２  判定部
５３３  乗算部
５４１  加算部
５４２  判定部
５４３  乗算部
５６１  加算部
５６２  判定部
５６３  乗算部
５７１  加算部
５７２  判定部
５７３  乗算部
５５  回転数設定器
８０１  感圧センサ（感知手段）
８１  電気レバー装置
８１１  操作レバー
８１４ａ  ストロークセンサ（感知手段）
８１４ｂ  ストロークセンサ（感知手段）
８１４ｃ  ストロークセンサ（感知手段）
８１４ｄ  ストロークセンサ（感知手段）
８２  電気レバーコントローラ
８２１  信号変換器
８２２  信号変換器
【図１】
2008214970.tif 000003
【図２】
2008214970.tif 000004
【図３】
2008214970.tif 000005
【図４】
2008214970.tif 000006
【図５】
2008214970.tif 000007
【図６】
2008214970.tif 000008
【図７】
2008214970.tif 000009
【図８】
2008214970.tif 000010
【図９】
2008214970.tif 000011
【図１０】
2008214970.tif 000012
【図１１】
2008214970.tif 000013
【図１２】
2008214970.tif 000014
【図１３】
2008214970.tif 000015
【図１４】
2008214970.tif 000016
【図１５】
2008214970.tif 000017
【図１６】
2008214970.tif 000018